(57)【要約】【課題】汚れに対する洗浄力、及び使用性を向上させ、外観安定性に優れる衣料用液体洗浄剤組成物を提供すること。【解決手段】界面活性剤を含み、前記界面活性剤が、（Ａ）成分：アニオン界面活性剤と、（Ｂ）成分：特定の半極性界面活性剤と、（Ｃ）成分：アルコールエトキシレートと、を含み、前記（Ａ）成分がポリオキシアルキレンアルキルエーテル硫酸又はその塩（Ａ１）を含み、（Ａ１）成分の含有量が衣料用液体洗浄剤組成物の総質量に対し、１５質量％以下であり、（Ａ１）成分／（Ｂ）成分で表される質量比が０．５〜１０であり、（Ａ１）成分／（Ａ）成分で表される質量比が０．５以上であり、前記界面活性剤の含有量が、衣料用液体洗浄剤組成物の総質量に対し、３０質量％以下である、衣料用液体洗浄剤組成物。【選択図】なし【特許請求の範囲】
【請求項１】
界面活性剤を含み、
前記界面活性剤が、（Ａ）成分：アニオン界面活性剤と、（Ｂ）成分：下記一般式（ＩＩＩ）で表される半極性界面活性剤、及び下記一般式（ＩＶ）で表される半極性界面活性剤からなる群から選択される少なくとも１種と、（Ｃ）成分：アルコールエトキシレートと、を含み、
前記（Ａ）成分がポリオキシアルキレンアルキルエーテル硫酸又はその塩（Ａ１）を含み、
（Ａ１）成分の含有量が衣料用液体洗浄剤組成物の総質量に対し、１５質量％以下であり、
（Ａ１）成分／（Ｂ）成分で表される質量比が０．５〜１０であり、
（Ａ１）成分／（Ａ）成分で表される質量比が０．５以上であり、
前記界面活性剤の含有量が、衣料用液体洗浄剤組成物の総質量に対し、３０質量％以下である、衣料用液体洗浄剤組成物。
【化１】
2018002799.tif 000008
（式（ＩＩＩ）中、Ｒ１１は炭素数８〜１８の直鎖状若しくは分岐鎖状のアルキル基、又は炭素数８〜１８の直鎖状若しくは分岐鎖状のアルケニル基であり、Ｒ１２、Ｒ１３はそれぞれ独立に炭素数１〜３のアルキル基又は炭素数１〜３のヒドロキシアルキル基である。）
【化２】
2018002799.tif 000009
（式（ＩＶ）中、Ｒ２１は炭素数７〜２２の直鎖状若しくは分岐鎖状のアルキル基、又は炭素数７〜２２の直鎖状若しくは分岐鎖状のアルケニル基であり；Ｒ２２及びＲ２３はそれぞれ独立に炭素数１〜３のアルキル基、又は炭素数１〜３のヒドロキシアルキル基であり、ｑは１〜５の整数である。）
【発明の詳細な説明】
【技術分野】
【０００１】
本発明は、衣料用液体洗浄剤組成物に関する。
【背景技術】
【０００２】
近年環境保全に対する意識の高まりから、界面活性剤の量を低減した洗浄剤の開発が行われている。このような洗浄剤では、界面活性剤の量を単に低減すると、洗浄力が低下したり、粘度の低下により使い勝手が悪くなったり（使用性が悪化）することが問題となる。
【０００３】
特許文献１は、界面活性剤に水溶性ポリマーを配合することで洗浄力の向上を図っている。
特許文献２は、界面活性剤に金属塩を配合することで粘度の増加を図っている。
【先行技術文献】
【特許文献】
【０００４】
【特許文献１】特開２００７−１６９５７６号公報
【特許文献２】特開２０１４−２０５７８６号公報
【発明の概要】
【発明が解決しようとする課題】
【０００５】
しかし、特許文献１及び２の組成物では、洗浄力の向上と使用性の向上とを両立させることはできない。
また、洗浄剤には、低温条件下又は高温条件下で保存された場合に、沈殿物の発生や濁り、分離が起こらない安定性（外観安定性）も要求される。
本発明は、上記事情に鑑みてなされたものであり、汚れに対する洗浄力、及び使用性を向上させ、外観安定性に優れる衣料用液体洗浄剤組成物を提供することを課題とする。
【課題を解決するための手段】
【０００６】
本発明者は、鋭意検討した結果、特定のアニオン界面活性剤と、特定の半極性界面活性剤と、特定のノニオン界面活性剤とを組み合わせることにより上記課題を解決できることを見出し、本発明を完成するに至った。
【０００７】
本発明の衣料用液体洗浄剤組成物は、以下の態様を有する。
［１］界面活性剤を含み、
前記界面活性剤が、（Ａ）成分：アニオン界面活性剤と、（Ｂ）成分：下記一般式（ＩＩＩ）で表される半極性界面活性剤、及び下記一般式（ＩＶ）で表される半極性界面活性剤からなる群から選択される少なくとも１種と、（Ｃ）成分：アルコールエトキシレートと、を含み、
前記（Ａ）成分がポリオキシアルキレンアルキルエーテル硫酸又はその塩（Ａ１）を含み、
（Ａ１）成分の含有量が衣料用液体洗浄剤組成物の総質量に対し、１５質量％以下であり、
（Ａ１）成分／（Ｂ）成分で表される質量比が０．５〜１０であり、
（Ａ１）成分／（Ａ）成分で表される質量比が０．５以上であり、
前記界面活性剤の含有量が、衣料用液体洗浄剤組成物の総質量に対し、３０質量％以下である、衣料用液体洗浄剤組成物。
【化１】
2018002799.tif 000002
（式（ＩＩＩ）中、Ｒ１１は炭素数８〜１８の直鎖状若しくは分岐鎖状のアルキル基、又は炭素数８〜１８の直鎖状若しくは分岐鎖状のアルケニル基であり、Ｒ１２、Ｒ１３はそれぞれ独立に炭素数１〜３のアルキル基又は炭素数１〜３のヒドロキシアルキル基である。）
【化２】
2018002799.tif 000003
（式（ＩＶ）中、Ｒ２１は炭素数７〜２２の直鎖状若しくは分岐鎖状のアルキル基、又は炭素数７〜２２の直鎖状若しくは分岐鎖状のアルケニル基であり；Ｒ２２及びＲ２３はそれぞれ独立に炭素数１〜３のアルキル基、又は炭素数１〜３のヒドロキシアルキル基であり、ｑは１〜５の整数である。）
【発明の効果】
【０００８】
本発明によれば、界面活性剤の量が少なくても、汚れに対する洗浄力、及び使用性を向上させ、外観安定性に優れる衣料用液体洗浄剤組成物を提供できる。
【発明を実施するための形態】
【０００９】
本発明の衣料用液体洗浄剤組成物は、以下の界面活性剤を含有する組成物である。
【００１０】
≪界面活性剤≫
本発明の界面活性剤は、（Ａ）成分：アニオン界面活性剤と、（Ｂ）成分：一般式（ＩＩＩ）で表される半極性界面活性剤、及び一般式（ＩＶ）で表される半極性界面活性剤からなる群から選択される少なくとも１種と、（Ｃ）成分：アルコールエトキシレートと、を含み、前記（Ａ）成分がポリオキシアルキレンアルキルエーテル硫酸又はその塩（Ａ１）を含むことを特徴とする。
【００１１】
＜（Ａ）成分：アニオン界面活性剤＞
（Ａ）成分は、アニオン界面活性剤である。（Ａ）成分は、ポリオキシアルキレンアルキルエーテル硫酸又はその塩（Ａ１）を含む。
（Ａ１）成分はポリオキシアルキレンアルキルエーテル硫酸又はその塩である。具体的には下記一般式（Ｉ）で表される化合物であることが好ましい。
Ｒ１−［（ＥＯ）ｍ／（ＰＯ）ｎ］−ＳＯ３−Ｍ＋・・・（Ｉ）
（式（Ｉ）中、Ｒ１は炭素数８〜２０の直鎖状若しくは分岐鎖状のアルキル基である。ＥＯはオキシエチレン基を表し、ＰＯはオキシプロピレン基を表す。ｍは、ＥＯの平均繰り返し数を表し、０以上の数である。ｎは、ＰＯの平均繰り返し数を表し、０〜６の数である。０＜ｍ＋ｎである。Ｍ＋は対カチオンである。）
Ｒ１の炭素数は、１０〜２０が好ましく、１２〜１４がより好ましい。
ＥＯの平均繰り返し数は、０〜５が好ましく、０．５〜３がより好ましい。
ＰＯの平均繰り返し数は０〜３が好ましく、０がより好ましい。
Ｍ＋としては、ナトリウムイオン、カリウムイオン等のアルカリ金属イオン、マグネシウムイオン等のアルカリ土類金属イオン、モノエタノールアミン、ジエタノールアミン等のアルカノールアミンから誘導されるカチオン等が挙げられる。
（ＥＯ）ｍ／（ＰＯ）ｎにおいて、ＥＯとＰＯはランダム付加であってもよくブロック付加であってもよい。
（Ａ１）成分としては、炭素数１０〜２０の直鎖若しくは分岐鎖のアルキル基を有し、平均１〜５モルのＥＯ又はＰＯが付加されたものが好ましい。
（Ａ１）成分としては、市販品を用いてもよいし、公知の合成方法で製造してもよい。公知の製造方法としては、ポリオキシアルキレンアルキルエーテルに、無水硫酸を反応させるか、クロルスルホン酸を反応させる方法が挙げられる。
（Ａ１）成分は、１種であってもよく２種以上であってもよい。
【００１２】
（Ａ１）成分以外のアニオン界面活性剤としては、例えば直鎖アルキルベンゼンスルホン酸又はその塩、α−オレフィンスルホン酸塩、直鎖又は分岐鎖のアルキル硫酸エステル塩、アルキル基を有するアルカンスルホン酸塩、α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
【００１３】
直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルカンスルホン酸塩としては、アルキル基の炭素数が１０〜２０のものが好ましく、１４〜１７のものがより好ましい。中でも、前記アルキル基が２級アルキル基であるもの（すなわち２級アルカンスルホン酸塩）が特に好ましい。
α−スルホ脂肪酸エステル塩としては、下記一般式（ＩＩ）で表されるものが好ましい。
Ｒ２−ＣＨ（ＳＯ３−Ｍ＋）ＣＯＯＲ３・・・（ＩＩ）
（式（ＩＩ）中、Ｒ２は炭素数１０〜２０の炭化水素基であり、Ｒ３は炭素数１〜６の炭化水素基であり、Ｍ＋は対イオンである。）
【００１４】
これらの中でも、洗浄力と安定性に優れる点で、直鎖アルキルベンゼンスルホン酸又はその塩、アルカンスルホン酸塩、及びα−オレフィンスルホン酸塩が好ましく、直鎖アルキルベンゼンスルホン酸又はその塩、及びアルカンスルホン酸塩がより好ましく、直鎖アルキルベンゼンスルホン酸ナトリウム（ＬＡＳ）、炭素数１４〜１７の２級アルカンスルホン酸ナトリウム（ＳＡＳ）が特に好ましい。
【００１５】
衣料用液体洗浄剤組成物中、（Ａ）成分の含有量は、衣料用液体洗浄剤組成物の総質量に対して、０．２〜２５質量％が好ましく、１〜２０質量％がより好ましく、１〜１０質量％が特に好ましい。
（Ａ）成分の含有量が前記範囲の下限値以上であれば、洗浄力も向上しやすくなる。前記範囲の上限値以下であれば、本発明の効果が得られやすい。
【００１６】
衣料用液体洗浄剤組成物中、（Ａ１）成分の含有量は、衣料用液体洗浄剤組成物の総質量に対して、１５質量％以下であり、１〜１０質量％が好ましく、２〜８質量％がより好ましい。
（Ａ１）成分の含有量が前記範囲の下限値以上であれば、汚れに対する洗浄力を向上しやすく、粘度を高められることにより使用性を向上しやすくなり、高温条件下における外観安定性により優れる。前記範囲の上限値以下であれば、低温条件下における外観安定性により優れる。
【００１７】
（Ａ１）成分／（Ａ）成分で表される質量比（以下、Ａ１／Ａ比ともいう）は、０．５以上であり、０．８以上が好ましい。また、１以下が好ましい。Ａ１／Ａ比が前記範囲の下限値以上であれば、外観安定性により優れる。
【００１８】
＜（Ｂ）成分：一般式（ＩＩＩ）で表される半極性界面活性剤、及び一般式（ＩＶ）で表される半極性界面活性剤からなる群から選択される少なくとも１種＞
（Ｂ）成分は、下記一般式（ＩＩＩ）で表される半極性界面活性剤、及び下記一般式（ＩＶ）で表される半極性界面活性剤からなる群から選択される少なくとも１種である。
【００１９】
【化３】
2018002799.tif 000004
【００２０】
（式（ＩＩＩ）中、Ｒ１１は炭素数８〜１８の直鎖状若しくは分岐鎖状のアルキル基、又は炭素数８〜１８の直鎖状若しくは分岐鎖状のアルケニル基であり、Ｒ１２、Ｒ１３はそれぞれ独立に炭素数１〜３のアルキル基又は炭素数１〜３のヒドロキシアルキル基である。）
【００２１】
【化４】
2018002799.tif 000005
【００２２】
（式（ＩＶ）中、Ｒ２１は炭素数７〜２２の直鎖状若しくは分岐鎖状のアルキル基、又は炭素数７〜２２の直鎖状若しくは分岐鎖状のアルケニル基であり；Ｒ２２及びＲ２３はそれぞれ独立に炭素数１〜３のアルキル基、又は炭素数１〜３のヒドロキシアルキル基であり、ｑは１〜５の整数である。）
【００２３】
本明細書において、「半極性界面活性剤」とは、半極性結合（無極性結合及び極性結合の中間の性質を有する結合）を有する界面活性剤のことであり、半極性界面活性剤が溶解する溶液又は分散する分散系のｐＨにより、陽イオン性、陰イオン性、又は両極性となるものをいう。
【００２４】
式（ＩＩＩ）中、Ｒ１１は、炭素数８〜１８の直鎖状若しくは分岐鎖状のアルキル基、又は炭素数８〜１８の直鎖状若しくは分岐鎖状のアルケニル基である。
炭素数８〜１８の直鎖状若しくは分岐鎖状のアルキル基としては、オクチル基、ノニル基、デシル基、ウンデシル基、ドデシル基、トリデシル基、テトラデシル基、ペンタデシル基、ヘキサデシル基、ヘプタデシル基、オクタデシル基が挙げられる。
炭素数８〜１８の直鎖状若しくは分岐鎖状のアルケニル基としては、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基が挙げられる。
【００２５】
Ｒ１２、Ｒ１３はそれぞれ独立に炭素数１〜３のアルキル基又は炭素数１〜３のヒドロキシアルキル基である。
炭素数１〜３のアルキル基、及び炭素数１〜３のヒドロキシアルキル基は、直鎖状であってもよく、分岐鎖状であってもよい。
炭素数１〜３のアルキル基としては、メチル基、エチル基、プロピル基が挙げられる。
炭素数１〜３のヒドロキシアルキル基としては、ヒドロキシエチル基、ヒドロキシプロピル基が挙げられる。
【００２６】
式（ＩＶ）中、Ｒ２１は炭素数７〜２２の直鎖状若しくは分岐鎖状のアルキル基、又は炭素数７〜２２の直鎖状若しくは分岐鎖状のアルケニル基である。Ｒ２１の炭素数は７〜２２であり、７〜１７が好ましく、９〜１７がより好ましく、１１〜１５がさらに好ましい。
炭素数７〜２２の直鎖状若しくは分岐鎖状のアルキル基としては、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基が挙げられる。
炭素数７〜２２の直鎖状若しくは分岐鎖状のアルケニル基としては、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、イコセニル基、ヘンイコセニル基、ドコセニル基が挙げられる。
【００２７】
Ｒ２２及びＲ２３はそれぞれ独立に炭素数１〜３のアルキル基、又は炭素数１〜３のヒドロキシアルキル基である。
炭素数１〜３のアルキル基としては、メチル基、エチル基、プロピル基が挙げられる。
炭素数１〜３のヒドロキシアルキル基としては、ヒドロキシエチル基、ヒドロキシプロピル基が挙げられる。
ｑは１〜５の整数であり、１〜３が好ましく、３がより好ましい。
（Ｂ）成分は、１種であってもよく２種以上であってもよい。
【００２８】
衣料用液体洗浄剤組成物中、（Ｂ）成分の含有量は、衣料用液体洗浄剤組成物の総質量に対して、０．１〜８質量％が好ましく、０．３〜３質量％がより好ましく、０．５〜２質量％がさらに好ましい。（Ｂ）成分の含有量が前記範囲の下限値以上であれば、汚れに対する洗浄力を向上しやすく、低温条件下における外観安定性により優れる。前記範囲の上限値以下であれば、高温条件下における外観安定性に優れる。
【００２９】
（Ａ１）成分／（Ｂ）成分で表される質量比（以下、Ａ１／Ｂ比ともいう）は、０．５〜１０であり、０．８〜８が好ましく、１〜３がより好ましい。
Ａ１／Ｂ比が前記範囲の上記下限値以上であれば、汚れに対する洗浄力を向上しやすく、粘度を高められることにより使用性を向上しやすくなり、高温条件下における外観安定性により優れる。前記範囲の上限値以下であれば、汚れに対する洗浄力を向上しやすく、粘度を高められることにより使用性を向上しやすくなり、低温条件下における外観安定性により優れる。
【００３０】
＜（Ｃ）成分：アルコールエトキシレート＞
（Ｃ）成分は、アルコールエトキシレートである。下記一般式（Ｖ）で表されるアルコールエトキシレートが好ましい。
Ｒ１０−Ｏ−（ＥＯ）ｐ−Ｈ  ・・・（Ｖ）
【００３１】
前記式（Ｖ）中、Ｒ１０は炭素数８〜１６の直鎖若しくは分岐鎖状のアルキル基又は炭素数８〜１６の直鎖若しくは分岐鎖状のアルケニル基であり；ＥＯはエチレンオキシ基を示し；ｐはＥＯの平均繰り返し数を示し、１〜２０、好ましくは３〜１５である。
前記式（Ｖ）中のＲ１０の炭素数は、アルキル基、アルケニル基のいずれの場合であっても８〜１６であり、１０〜１４が好ましく、１２〜１４がより好ましい。炭素数が８以上であることにより洗浄力が良好となり、炭素数が１６以下であることにより溶解性が向上する。
Ｒ１０は、アルキル基が好ましく、具体的にはヘプチル基、オクチル基、ノニル基、デシル基、ウンデシル基、ドデシル基、トリデシル基、テトラデシル基、ペンタデシル基、ヘキサデシル基が好ましく挙げられ、ドデシル基、テトラデシル基が特に好ましい。
（Ｃ）成分は、１種であってもよく２種以上であってもよい。
【００３２】
衣料用液体洗浄剤組成物中、（Ｃ）成分の含有量は、衣料用液体洗浄剤組成物の総質量に対して、０．１〜２０質量％が好ましく、０．５〜１５質量％がより好ましく、１〜１０質量％がさらに好ましい。（Ｃ）成分の含有量が前記範囲の下限値以上であれば、粘度を高められることにより使用性を向上しやすくなり、汚れに対する洗浄力を向上しやすい。前記範囲の上限値以下であれば、高温条件下における外観安定性に優れる。
【００３３】
（Ａ１）成分／（Ｃ）成分で表される質量比（以下、Ａ１／Ｃ比ともいう）は、０．１〜１０が好ましく、０．３〜８がより好ましく、０．５〜２．５がさらに好ましい。
Ａ１／Ｃ比が前記範囲の上記下限値以上であれば、汚れに対する洗浄力を向上しやすい。前記範囲の上限値以下であれば、外観安定性を向上しやすくなる。
【００３４】
（Ｂ）成分／（Ｃ）成分で表される質量比（以下、Ｂ／Ｃ比ともいう）は、０．０５〜１０が好ましく、０．１〜５がより好ましく、０．３〜３がさらに好ましい。
Ｂ／Ｃ比が前記範囲の上記下限値以上であれば、外観安定性を向上しやすくなる。前記範囲の上限値以下であれば、外観安定性を向上しやすくなる。
【００３５】
（Ａ）成分〜（Ｃ）成分以外の界面活性剤としては、（Ｃ）成分以外のノニオン界面活性剤、カチオン界面活性剤、両性界面活性剤、（Ｂ）成分以外の半極性界面活性剤等が挙げられる。
【００３６】
衣料用液体洗浄剤組成物中、界面活性剤の含有量は、衣料用液体洗浄剤組成物の総質量に対して、３０質量％以下であり、１〜２０質量％が好ましく、２〜１５質量％がより好ましく、３〜１０質量％が特に好ましい。
界面活性剤の含有量が前記範囲の下限値以上であれば、汚れに対する洗浄力を向上しやすい。前記範囲の上限値以下であれば、本発明の効果が得られやすい。
【００３７】
＜任意成分＞
本発明の衣料用液体洗浄剤組成物は、上記（Ａ）〜（Ｃ）成分以外に、衣料用液体洗浄剤組成物に通常用いられる任意成分を含有してもよい。
任意成分としては、例えば過酸化水素、ｐＨ調整剤、キレート剤、ラジカルトラップ剤、エタノール等の水混和性有機溶剤、緩衝剤、香料、溶媒、ハイドロトロープ剤、漂白活性化剤、プロテアーゼ等の酵素、ジブチルヒドロキシトルエン等の酸化防止剤、安息香酸ナトリウム等の防腐剤、塩化カルシウム、乳酸ナトリウム等の酵素安定化剤、色素等の着色剤、ゼオライト、洗浄性ビルダー等が挙げられる。
【００３８】
過酸化水素の含有量は、衣料用液体洗浄剤組成物の総質量に対して、０．１〜６質量％が好ましい。
【００３９】
ｐＨ調整剤としては、例えば、水酸化ナトリウム、塩酸、硫酸、水酸化ナトリウム、水酸化カリウム、モノエタノールアミン、ジエタノールアミン、トリエタノールアミン、アンモニア等が挙げられる。
本発明の衣料用液体洗浄剤組成物のｐＨは７以下が好ましく、３〜６がより好ましく、４〜６がさらに好ましい。ｐＨが前記範囲の下限値以上であれば、外観安定性により優れる。前記範囲の上限値以下であれば、汚れに対する洗浄力を向上しやすく、粘度を高められることにより使用性を向上しやすい。
なお、衣料用液体洗浄剤組成物（２５℃に調温）のｐＨは、ｐＨメーター（東亜ディーケーケー株式会社製、「ＨＭ−３０Ｇ」）等により測定される値を示す。
【００４０】
キレート剤としては、例えば１−ヒドロキシエタン−１，１−ジホスホン酸等のホスホン酸系キレート剤が挙げられる。衣料用液体洗浄剤組成物中、キレート剤の含有量は、衣料用液体洗浄剤組成物の総質量に対して、０．１〜２質量％が好ましい。
ラジカルトラップ剤としては、例えばｐ−メトキシフェノール、ジブチルヒドロキシトルエン等が挙げられる。衣料用液体洗浄剤組成物中、ラジカルトラップ剤の含有量は、衣料用液体洗浄剤組成物の総質量に対して、０．０１〜１質量％が好ましい。
有機溶剤としては、例えば芳香族化合物が挙げられ、例えばフェニルジグリコールが挙げられる。衣料用液体洗浄剤組成物中、有機溶剤の含有量は、衣料用液体洗浄剤組成物の総質量に対して、０．１〜３質量％が好ましい。
緩衝剤としては、例えばクエン酸が挙げられる。衣料用液体洗浄剤組成物中、緩衝剤の含有量は、衣料用液体洗浄剤組成物の総質量に対して、０．０１〜２質量％が好ましい。
香料としては、香料原料単体、又は、香料原料と香料用溶剤と香料安定化剤等とからなる香料組成物を含むものであり、衣料用などの液体洗浄剤、液体漂白洗浄剤、液体漂白剤等に通常用いられる香料を配合することができる。衣料用液体洗浄剤組成物中、香料の含有量は、衣料用液体洗浄剤組成物の総質量に対して、０．０１〜１質量％が好ましい。
溶媒としては、水を用いることが好ましい。衣料用液体洗浄剤組成物中、水の含有量は、衣料用液体洗浄剤組成物の総質量に対して、４０〜９５質量％が好ましい。
ハイドロトロープ剤としては、例えば炭素数２〜４のアルコール類、グリコール類、ポリグリコール類、アルキルエーテル類などの水混和性有機溶剤；クメンスルホン酸、トルエンスルホン酸、キシレンスルホン酸、安息香酸塩、尿素などが挙げられる。衣料用液体洗浄剤組成物中、ハイドロトロープ剤の含有量は、衣料用液体洗浄剤組成物の総質量に対して、０．０１〜１５質量％が好ましい。
漂白活性化剤は、それ自体は漂白効果を持たないが、衣料用液体洗浄剤組成物中で過酸化水素と反応して酸化力の高い有機過酸に変わる物質である。
漂白活性化剤としては、公知の化合物を用いることができる。例えば、テトラアセチルエチレンジアミン；炭素数１〜１８、好ましくは炭素数８〜１２のアルカノイル基を有するアルカノイルオキシベンゼンスルホン酸又はその塩；炭素数１〜１８、好ましくは炭素数８〜１２のアルカノイル基を有するアルカノイルオキシ安息香酸又はその塩が挙げられる。このうち、４−デカノイルオキシ安息香酸（ＤＯＢＡ）、４−ドデカノイルオキシベンゼンスルホン酸ナトリウム（ＤＯＢＳ）、４−ノナノイルオキシベンゼンスルホン酸ナトリウム（ＮＯＢＳ）が好ましい。
これら漂白活性化剤は１種単独で用いてもよく、２種以上を併用してもよい。
漂白活性化剤の含有量は、衣料用液体洗浄剤組成物の総質量に対して、０．１〜２質量％が好ましく、０．２〜１．５質量％がより好ましく、０．４〜１質量％がさらに好ましい。漂白活性化剤の含有量が上記下限値以上であると、衣料用液体洗浄剤組成物における黄ばみに対する漂白力が高まり、上記上限値以下であると、過酸化水素の安定性の向上が図れる。
衣料用液体洗浄剤組成物に含まれる各成分の含有量の合計は、１００質量％を超えない。
【００４１】
≪衣料用液体洗浄剤組成物の製造方法≫
本発明の衣料用液体洗浄剤組成物は特に制限されず、従来公知の製造方法によって製造される。
例えば、（Ａ）成分と、（Ｂ）成分と、（Ｃ）成分と、必要に応じて任意成分とを、溶媒（例えばイオン交換水等の水）に混合して溶解し、所定のｐＨになるように調整することにより、製造することができる。
【００４２】
≪衣料用液体洗浄剤組成物の使用方法≫
本発明の衣料用液体洗浄剤組成物の使用方法としては、通常の使用方法が挙げられる。
例えば、水３０Ｌに対し衣料用液体洗浄剤組成物５〜３０ｍＬを添加した洗浄液を用い、洗濯機で被洗物を洗浄する方法、前記洗浄液に被洗物を漬け置く方法等が挙げられる。また、衣料用液体洗浄剤組成物を被洗物に直接塗布して一定時間放置し、その後、通常の洗濯を行う方法（塗布洗浄）で使用されてもよい。
【実施例】
【００４３】
以下に実施例を用いて本発明をさらに詳しく説明するが、本発明はこれら実施例に限定されるものではない。
【００４４】
≪実施例１〜９、比較例１〜６≫
＜衣料用液体洗浄剤組成物の調製＞
表１及び２に示す配合組成に従い、後述の製造方法（未配合の成分がある場合、その成分は配合しない。）により、各例の組成物をそれぞれ調製した。
表１及び２に示す組成に従い各成分を混合し、ｐＨ調整剤を加えてｐＨを調製して各組成物を得た。
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。
【００４５】
＜（Ａ）成分＞
・ａ−１：ポリオキシアルキレンアルキルエーテル硫酸ナトリウム塩（式（Ｉ）中、Ｒ１＝炭素数１２のアルキル基、ｍ＝２、ｎ＝０、Ｍ＋＝ナトリウムイオン）（花王株式会社製「エマール  ２７０Ｊ」）。
・ａ’−１：直鎖アルキルベンゼンスルホン酸ナトリウム（ＬＡＳ、ライオン株式会社製、アルキル基の炭素数１０〜１４）。
【００４６】
＜（Ｂ）成分＞
・ｂ−１：ラウリン酸アミドプロピルジメチルアミンオキシド、クラリアント社製、商品名「ＧＥＮＡＭＩＮＯＸ  ＡＰ」；一般式（ＩＶ）におけるＲ２１＝炭素数１１の直鎖状アルキル基、Ｒ２２＝メチル基、Ｒ２３＝メチル基、ｑ＝３。
・ｂ−２：ｎ−ドデシルジメチルアミンオキシド、ライオン・スペシャリティケミカルズ株式会社製、商品名「アロモックスＤＭ１２Ｄ−Ｗ」；一般式（ＩＩＩ）におけるＲ１１＝炭素数１２の直鎖状アルキル基、Ｒ１２＝メチル基、Ｒ１３＝メチル基。
【００４７】
＜（Ｃ）成分＞
・ｃ−１：ポリオキシエチレンアルキルエーテル、炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均６モルのエチレンオキシドが付加されたもの、ライオン株式会社製、商品名「レオックスＣＬ−６０」。
【００４８】
＜任意成分＞
・フェニルジグリコール：ジエチレングリコールモノフェニルエーテル、日本乳化剤株式会社製、商品名「ＰｈＤＧ（９０）」。
・過酸化水素：過酸化水素（三菱ガス化学株式会社製）。
・クエン酸（緩衝剤、関東化学株式会社製、試薬「クエン酸」）。
［共通成分］
含有量は、液体漂白剤組成物の総質量に対する質量％を表す。
・ＨＥＤＰ（キレート剤、１−ヒドロキシエタン−１，１−ジホスホン酸、ローディア社製、商品名「ＢＲＩＱＵＥＳＴ  ＡＤＰＡ」）・・・０．７５質量％。
・ｐ−メトキシフェノール（ラジカルトラップ剤、川口化学工業社製、商品名「ＭＱ−Ｆ」）・・・０．１質量％。
・ポリマー：特定の繰り返し単位（ｂ１）とオキシアルキレン単位（ｂ２）とを有するポリマー。ドイツ、Ｃｌａｒｉａｎｔ Ｇｍｂ Ｈ製、商品名「ＴｅｘＣａｒｅ  ＳＲＮ−１００」・・・０．２質量％。
・香料（特開２００２−１４６３９９号公報の表１１〜１８に記載の香料組成物Ａ）・・・０．１質量％。
［ｐＨ調整剤］
・硫酸（東邦亜鉛株式会社製）・・・表に記載のｐＨに調整する量。
・水酸化ナトリウム（鶴見曹達株式会社製）・・・表に記載のｐＨに調整する量。
【００４９】
＜皮脂モデル汚れに対する洗浄力の評価＞
（１）油汚れ汚垢布の作製
牛脂をクロロホルムで５倍に希釈した牛脂溶液を調製した。
該牛脂溶液に０．０１質量％のカーボン粒子を添加したもの０．０３０ｍＬを、５ｃｍ×５ｃｍに裁断したポリエステルトロピカル布（谷頭商店）に滴下し、室温にて３０分間風乾したものを油汚れ汚垢布とした。
（２）洗浄試験
油汚れ汚垢布５枚のそれぞれに対し、同じ液体洗浄剤を０．１２ｍＬずつ塗布し、５分間静置した。
次いで、１５℃の水道水９００ｍＬを入れたＴｅｒｇ−Ｏ−Ｔｏｍｅｔｅｒ（ＵＮＩＴＥＤ  ＳＴＡＴＥＳ  ＴＥＳＴＩＮＧ社製）に、洗剤（ライオン株式会社製、商品名「トップクリアリキッド」）０．６ｍｌ、油汚れ汚垢布５枚を入れ、１２０ｒｐｍで１０分間洗浄した（浴比２０倍）。
その後、洗浄後の油汚れ汚垢布５枚を取り出し、該油汚れ汚垢布に対して、２槽式洗濯機（三菱電機株式会社製、ＣＷ−Ｃ３０Ａ１型）で流水すすぎ３分間を行い、次いで脱水１分間を行った後、風乾した。
（３）洗浄力の評価
測色色差計（日本電色社製、商品名ＳＥ２０００） を用い、汚れ付着前の原布（ポリエステルトロピカル布）、及び、洗浄試験前後の油汚れ汚垢布についてのＺ値をそれぞれ測定し、下式より洗浄率を算出した。この洗浄率の値が大きいほど、塗布洗浄力が高いこと、を意味する。
洗浄率（％）＝（洗浄後の油汚れ汚垢布のＺ値−洗浄前の油汚れ汚垢布のＺ値）／（原布のＺ値−洗浄前の油汚れ汚垢布のＺ値）×１００
そして、５枚の油汚れ汚垢布について算出した洗浄率の平均値を指標として、下記の評価基準に従い、洗浄力の評価を行った。
≪評価基準≫
◎：洗浄率の平均値が８５％超。
○：洗浄率の平均値が７５％以上８５％未満。
△：洗浄率の平均値が６５％以上７５％未満。
×：洗浄率の平均値が６５％未満。
【００５０】
＜使用性（粘度（ｍＰａ・ｓ））の評価＞
各例の液体洗浄剤の液温を恒温槽で２５℃に調整し測定試料とした。Ｂ型粘度計（株式会社東京計器製、「型式ＢＭ」）を用いて前記測定試料の粘度を測定した（ロータＮｏ．２、回転数６０ｒｐｍ、回転開始から６０秒後の粘度を測定）。
粘度の測定値を下記判定基準により分類し評価した。Ａの液体洗浄剤は、塗布洗浄の際に繊維製品に対して非常に塗布しやすいものである。Ｂの液体洗浄剤は、塗布洗浄の際に繊維製品に対して塗布しやすいものである。Ｃの液体洗浄剤は、塗布洗浄の際に繊維製品に対して塗布して塗布しにくいものである。なお、実施例１の粘度は９５ｍＰａ・ｓ、実施例２の粘度は１４５ｍＰａ・ｓ、実施例３の粘度は１３０ｍＰａ・ｓ、実施例５の粘度は９５ｍＰａ・ｓ、比較例４の粘度は５ｍＰａ・ｓであった。
（判定基準）
Ａ：１００ｍＰａ・ｓ超。
Ｂ：３０ｍＰａ・ｓ以上１００ｍＰａ・ｓ未満。
Ｃ：３０ｍＰａ・ｓ未満。
【００５１】
＜外観安定性の評価＞
透明のガラス製瓶に、各例の液体洗浄剤１００ｇをそれぞれ充填し、蓋を閉めて密封した。この瓶を各例につき３つ用意し、それぞれ室温、５０℃、及び−５℃の高温槽に４８時間静置して保存した。
かかる２４時間の保存の後、液の外観を目視で観察し、下記評価基準に従って、液体洗浄剤の保存安定性を評価した。結果を表１及び２に示す。なお、室温での評価が○のもののみ、５０℃、及び−５℃の評価を記載した。
≪室温における外観安定性の評価基準≫
×：室温で沈殿・分離・濁りが認められた。
○：室温で無色透明であった。
≪高温（５０℃）における外観安定性の評価基準≫
◎：無色透明であった。
○：わずかな析出または濁りが認められた。
△：沈殿または分離が認められた。
≪低温（−５℃）における外観安定性の評価基準≫
◎：無色透明であった。
○：わずかな析出または濁りが認められた。
△：沈殿または分離が認められた。
【００５２】
【表１】
2018002799.tif 000006
【００５３】
【表２】
2018002799.tif 000007
【００５４】
本願発明を適用した実施例１〜９はいずれも汚れに対する洗浄力、使用性、及び外観安定性に優れるものであった。
（Ａ）成分を含まない比較例１では、汚れに対する洗浄力、及び使用性において劣っていた。
Ａ１／Ａ比が０．５未満である比較例２では、外観安定性において劣っていた。
（Ｂ）成分を含まない比較例３では、汚れに対する洗浄力、使用性において劣っていた。
（Ｃ）成分を含まない比較例４では、使用性、及び外観安定性において劣っていた。
Ａ１／Ｂ比が０．５未満である比較例５では、使用性、及び外観安定性に劣っていた。
（Ａ１）成分の含有量が１５質量％超であり、且つＡ１／Ｂ比が１０超である比較例６では、使用性に劣っていた。
以上の結果から、本発明を適用した衣料用液体洗浄剤組成物は、汚れに対する洗浄力、使用性、及び外観安定性に優れることが確認できた。